(57)【特許請求の範囲】
【請求項１】
呼出番号を無線受信して、受信した呼出番号が自己に割り当てられた呼出番号と一致した場合に、当該呼出番号に対応して受信したメッセージを記憶手段に格納する選択呼出受信機において、
呼出番号及びメッセージと共に受信メッセージを格納するためのフォルダをメッセージのタイトルで指定するフォルダ指定情報及び当該指定されたタイトルのフォルダを作成するか否かを指示するフォルダ作成情報を無線受信する受信手段と、
受信したフォルダ指定情報に基づいて対応する指定フォルダを前記記憶手段内から検索するフォルダ検索手段と、
受信したフォルダ作成情報によってフォルダの作成が指示されている場合に、受信したフォルダ指定情報に対応する指定フォルダを前記記憶手段内に作成するフォルダ作成手段と、
フォルダ指定情報に対応するフォルダに受信メッセージを格納するフォルダアクセス手段と、を備え、
フォルダ指定情報に基づいて対応するフォルダが前記記憶手段内から検索されず且つフォルダ作成情報によってフォルダの作成が指示されていない場合には、前記フォルダアクセス手段は、前記記憶手段内に指定フォルダとは別に設けられた特定フォルダに受信メッセージをそのフォルダ指定情報に対応付けて格納することを特徴とする選択呼出受信機。
【請求項２】
請求項１に記載の選択呼出受信機において、
前記フォルダアクセス手段は、特定フォルダに格納された受信メッセージのフォルダ指定情報に対応する指定フォルダが前記フォルダ作成手段によって作成された場合に、特定フォルダに格納した受信メッセージを当該指定フォルダに移動させることを特徴とする選択呼出受信機。
【発明の詳細な説明】
【０００１】
【発明の属する技術分野】
本発明は呼出番号に基づいてメッセージを受信する選択呼出受信機に関し、特に、受信メッセージをフォルダによって格納管理する技術に関する。
【０００２】
【従来の技術】
近年、無線選択呼出通信システムは、数字情報のみならず平仮名や漢字等の文字情報をも送信可能になり、選択呼出受信機の利用者間で電文によるメッセージ交換が頻繁に行われている。更には、単に個人宛てにメッセージを送る個別選択呼出サービスだけでなく、情報提供会社が提供するニュース、株価、天気等の各種情報も送信可能な無線選択呼出通信システムが開発されており、このような情報提供サービスを行う無線選択呼出通信システムでは、提供された天気情報等は共通の呼出番号（群呼出番号）宛てに無線送信され、この群呼出番号をもつ複数の選択呼出受信機が上記情報を受信してＬＣＤ等の画面に表示出力して利用者に提示できるようになっている。
【０００３】
このような情報提供サービスを行うために、例えば特公平５−３５９３３号公報には、２つのコードのうちの１つを個別選択呼出サービスに使用し、他の１つを情報提供サービスに使用する発明が開示されている。
しかしながら、この発明にあっては、選択呼出受信機は情報提供会社からの各種サービス情報を受信しても、当該サービス情報（情報メッセージ）は通常の個人宛てのメッセージと混在してメモリに格納されるため、格納された複数の情報メッセージのうちの特定の情報メッセージを表示出力させて見たい時、或いは、格納された複数の個人宛メッセージのうちの特定の個人宛メッセージを表示出力させて見たい時には、利用者はメモリに格納された数多くのメッセージを順次表示させて目的のメッセージを捜し出さなければならず、極めて使い勝手が悪いものであった。
【０００４】
これに対して、例えば特開平８−１９０２７号公報には、利用者がキー操作によりメッセージメモリに記憶されている任意のメッセージを読み出して、フォーマット及びファイル名を任意に設定してフォーマットメッセージメモリに登録可能とし、これによって、利用者が自由に受信メッセージを分類して保存させることができるようにしてファイル管理を容易化し、また、登録したフォーマットデータに基づいて受信メッセージを自動的に分類して保存することができるメッセージデータ受信装置が開示されている。
【０００５】
しかしながら、このメッセージデータ受信装置にあっては、メッセージメモリに記憶されているメッセージを読み出してフォーマット及びファイル名をフォーマットメッセージメモリに予め登録しておかなければ、受信メッセージを自動的に分類して保存することができず、相変わらず利用者は分類のための煩雑な操作を行わなければならないという問題があった。
また、受信したメッセージがサービス情報に係る情報メッセージであっても、フォーマット及びファイル名が登録されていないと、個人宛メッセージと共に混在してメモリに記憶されるため、個人宛てメッセージを記憶するためのメモリ容量が減少し、多くの情報メッセージを記憶保持してしまう場合には、個人宛てメッセージを受信しても記憶表示させることができない事態も生じてしまうという問題もあった。
【０００６】
【発明が解決しようとする課題】
本発明は上記従来の事情に鑑みなされたもので、受信したメッセージを自動的にフォルダに分類して管理することができる選択呼出受信機を提供することを目的とする。
また、本発明は、群呼出を実施する選択呼出受信機においても、受信した情報メッセージを自動的にフォルダに分類して管理することを目的とする。
また、本発明は、受信した情報メッセージをタイトル毎のフォルダに自動的に分類して管理することを目的とする。
なお、本発明の更なる具体的な目的は、以下の説明において記載するところである。
【０００７】
【課題を解決するための手段】
本発明は、無線受信した呼出番号が自己に割り当てられた呼出番号と一致した場合に、当該呼出番号に対応して受信したメッセージを記憶手段に格納する選択呼出受信機であり、受信手段では呼出番号及びメッセージと共に受信メッセージを格納するためのフォルダ指定情報及び当該指定されたフォルダを作成するか否かを指示するフォルダ作成情報を無線受信し、受信したフォルダ指定情報に基づいてフォルダ検索手段が対応する指定フォルダを記憶手段内から検索し、また、受信したフォルダ作成情報によってフォルダの作成が指示されている場合には、受信したフォルダ指定情報に対応する指定フォルダをフォルダ作成手段が記憶手段内に作成し、検索され或いは作成された指定フォルダに、フォルダアクセス手段が受信メッセージを格納する。
【０００８】
そして、本発明では、フォルダ指定情報に基づいて対応するフォルダが記憶手段内から検索されず且つフォルダ作成情報によってフォルダの作成が指示されていない場合（すなわち、受信メッセージのフォルダ指定情報に対応する指定フォルダが存在しない場合）には、フォルダアクセス手段は、記憶手段内に指定フォルダとは別に設けられた特定フォルダに受信メッセージを格納する。
これにより、或る種の受信メッセージを或るタイトルの指定フォルダに分類して記憶したり、種類が未だ不特定な受信メッセージは物置的な意味合いを持って特定フォルダにまとめて記憶させておく等と言ったように、多くの受信メッセージを自動的に分類して記憶管理することができ、利用者の煩雑な操作を要することなく、読出処理において所望のメッセージを発見し易い体系で管理することができ、当該メッセージを表示手段に迅速に出力させることができる。
【０００９】
更に、本発明では、フォルダアクセス手段は特定フォルダに受信メッセージをそのフォルダ指定情報に対応付けて格納しており、フォルダ作成手段によって当該フォルダ指定情報に対応する指定フォルダが作成された場合に、フォルダアクセス手段は特定フォルダに格納した受信メッセージを当該指定フォルダに移動させる。
これにより、物置的な意味合いを持って特定フォルダにひとまず記憶させておいた受信メッセージを、対応する指定フォルダが作成されたところで、その指定フォルダに移動させて管理することができる。なお、記憶手段に記憶した不要な受信メッセージを削除整理する場合には、例えば特定フォルダに記憶した受信メッセージを受信時刻の古い順から削除するようにすれば、必要度の低いメッセージを適切に削除してメモリ容量を容易に回復させることができる。
【００１０】
ここに、本発明は、個別呼出と群呼出との種類を問わずに適用することができ、受信した個人宛メッセージを例えば送信者毎の指定フォルダに自動的に分類して記憶管理する、受信した情報メッセージを情報のタイトル毎の指定フォルダに自動的に分類して記憶管理することを実現することができる。
【００１１】
【発明の実施の形態】
本発明を、選択呼出受信機として表示機能付きページャを用いて、選択呼出に係る個人宛メッセージと群呼出に係る情報メッセージとの通信を行う無線選択呼出通信システムの一例を参照して詳しく説明する。
なお、以下の説明では、主に情報メッセージをフォルダに分類して記憶管理する場合を例にとって説明するが、個人宛メッセージについても同様な管理を行うことができる。
【００１２】
本例の無線選択呼出通信システムは、図１に示すように、情報提供会社１、電話機２、電話網３、中央局４、基地局５Ａ、５Ｂ、・・・、５Ｎ、ページャ６Ａ、６Ｂ、・・・６Ｎで構成されている。
このシステム構成において、情報提供会社１が作成した情報メッセージまたは電話機２或いは別の入力装置（図示せず、例えば携帯電話、パーソナルコンピュータ等）からの個別呼出のための個人宛メッセージが電話網３を介して中央局４に送信される。
【００１３】
中央局４はメッセージや送信相手の呼出番号を無線通信システムに適したプロトコルに変換して複数の基地局５Ａ〜５Ｎへ送信する。なお、無線通信システムに適したプロトコルとしては、例えばＰＯＣＳＡＧ（Ｐｏｓｔ  Ｏｆｆｉｃｅ  Ｃｏｄｅ  Ｓｔａｎｄａｒｄｉｚａｔｉｏｎ  Ａｄｖｉｓｏｒｙ  Ｇｒｏｕｐ）、ＮＴＴ方式、ＲＣＲ  ＳＴＤ−４２Ａに規定されているＦＬＥＸ−ＴＤ  ＲＡＤＩＯ  ＰＡＧＩＮＧ  ＳＹＳＴＥＭ（以下ＦＬＥＸ−ＴＤとする）等のプロトコルがあるが本発明は他の形式にも利用することができる。
【００１４】
基地局５Ａ〜５Ｎは上記のように変換されたデータを予め決められたデータ伝送速度（例えばＦＬＥＸ−ＴＤでは、１６００ｂｐｓ（ビット毎秒）、３２００ｂｐｓあるいは６４００ｂｐｓ）の無線信号で複数のページャ６Ａ〜６Ｎに送信する。
ページャ６Ａ〜６Ｎは上記の無線信号を受信して、この無線信号中に自己に割り当てられた呼出番号と一致する信号を検出した時に、呼出報知及び受信したメッセージ内容の表示出力を行う。
【００１５】
次に、図２を用いて基地局５Ａ〜５Ｎから送信される無線信号のフレームフォーマットの一例を説明する。同図に示すように、送信フレームフォーマットは、同期部２０、ブロック情報（ＢＩ）２１、アドレスフィールド（ＡＦ）２２、ベクトルフィールド（ＶＦ）２３、メッセージフィールド（ＭＦ）２４で構成される。
同期部２０は、「１」と「０」とのビットパターンで構成され、ページャ６Ａ〜６Ｎに対して同期のタイミングを与える信号である。ブロック情報２１は、フレーム及びシステム構成の情報を含み、アドレスフィールド２２の起点、ベクトルフィールド２３の起点、トラフィックが次のフレームへ続くことを示す情報等からなるフィールドである。
【００１６】
アドレスフィールド２２は、特定のページャを呼び出す個別呼出番号または情報提供会社１からの情報を共通して受信することができるページャを特定するための群呼出番号が１つ以上格納されるフィールドである。
ベクトルフィールド２３は、上記の個別呼出番号或いは群呼出番号に対応する個人宛メッセージ或いは情報メッセージが次に続くメッセージフィールド２４のどの位置に格納されているかの情報、そのメッセージ内容の長さを示す情報、メッセージ内容が文字、メッセージ内容が英数字、メッセージ内容が１６進／２進であることを示す等のメッセージのタイプを示す情報等が格納されるフィールドである。
メッセージフィールド２４は、個別呼出番号或いは群呼出番号に対応する個人宛メッセージ或いは情報メッセージが格納されるフィールドである。
【００１７】
次に、ページャに情報提供会社１からの情報メッセージを提供するために、群呼出番号がアドレスフィールド２２に格納された場合のメッセージフィールド２４のフォーマットの一例を図３を用いて説明する。
図３（ａ）に示すように、メッセージフィールド２４は、識別子２４１、信号種別２４２、メッセージ通番２４３、情報フラグ２４４、情報タイトルフィールド２４５、情報メッセージ本文フィールド２４６で構成される。
識別子２４１は当該メッセージフィールド２４が後述するタイトル情報を含んでいるか否かを区別するためのものであり、信号種別２４２はこのメッセージフィールド２４が情報提供会社１からの情報を提供するための情報メッセージであることを示すものであり、メッセージ通番２４３は情報メッセージの送信毎に付けられる通し番号である。
【００１８】
情報フラグ２４４は、後述するように情報提供を行うためのメッセージフィールド２４のフォーマット種別及びその働きを示すものである。情報タイトルフィールド２４５には後述するように情報提供会社１等が作成した情報メッセージの分類及び保存に用いられるタイトル情報が挿入され、情報メッセージ本文フィールド２４６には情報提供会社１等が作成した情報メッセージ本文（文字等で記述されたメッセージの内容）が挿入される。
ここで、本例では、情報フラグ２４４が指定されたフォルダを作成するか否かを指示するフォルダ作成情報として機能し、情報タイトルフィールド２４５のタイトル情報が受信メッセージを格納するためのフォルダを指定するフォルダ指定情報として機能する。
【００１９】
更に、図３（ｂ）に示すように、情報タイトルフィールド２４５は、タイトルのコード番号（以下、Ｎ１とする）とタイトル（すなわち、タイトルの内容）、サブタイトル１のコード番号（以下、Ｎ２とする）とサブタイトル１（すなわち、サブタイトル１の内容）、サブタイトル２のコード番号（以下、Ｎ３とする）とサブタイトル２（すなわち、サブタイトル２の内容）を挿入するフィールドで構成されている。なお、Ｎ１、Ｎ２、Ｎ３はそれぞれのタイトル、サブタイトルに付与されるコード番号であり、タイトル及びサブタイトルは本文内容の見出しのような文字列である。
本例では、タイトル、サブタイトル１、サブタイトル２の順に階層化してあり、この情報タイトルは図６に示すように自動的に情報メッセージを階層化した指定フォルダに分類して保存するために用いられる。
【００２０】
なお、個人宛メッセージの場合には、信号種別２４２によって情報メッセージとは異なる個人宛メッセージであることが示され、また、情報メッセージ本文フィールド２４６には呼出者が作成したメッセージ内容が挿入される。また、このような通常のメッセージは、ページャ６Ａ〜６Ｎで情報メッセージとは異なるものとして取り扱われ、本例では、後述するように情報メッセージを記憶するためのフォルダエリアとは別のメモリエリアに記憶される。
【００２１】
次に、図４を参照して、本例において情報メッセージのメッセージフィールド２４に適用されるフォーマット例を説明する。本例においては３種類のフォーマットがあり、図４（ａ）〜（ｃ）に示すように、識別子２４１、信号種別２４２、メッセージ通番２４３、情報フラグ２４４は各フォーマットに共通して用いられる。
図４（ａ）に示すフォーマットは、タイトル、サブタイトル１、サブタイトル２とそれぞれのコード番号（Ｎ１〜Ｎ３）を含む情報タイトル２４５及び情報本文フィールド２４６を更に有しており（以下、フォーマット１とする）、通常用いられるフォーマットである。
図４（ｂ）に示すフォーマットは、情報本文フィールド２４６を有しておらず、タイトルのみを送信する場合に用いられるフォーマットであり（以下、フォーマット２とする）、タイトルのみの作成、タイトルの変更、タイトルの削除等に用いられる。
【００２２】
図４（ｃ）に示すフォーマットは、上記図４（ａ）で送信されたフォーマットと同一のタイトル、サブタイトル１及びサブタイトル２の情報メッセージを送信するときに、タイトル情報としてタイトル、サブタイトル１及びサブタイトル２の内容部分は省略してそれらのコード番号（Ｎ１〜Ｎ３）のみを情報メッセージ本文２４６と送信するフォーマットであり（以下、フォーマット３とする）、これによって送信データ量を削減するものである。
すなわち、ページャはフォーマット１又は２を受信したときにそのタイトル情報に対応した指定フォルダを作成し、フォーマット３を受信したときにはこのような指定フォルダの作成は行わない。
【００２３】
このような３種のフォーマット１〜３をページャ６Ａ〜６Ｎが識別するために、上述した情報フラグ２４４が用いられる。この情報フラグ２４４の構成と働きを表１に示す。
具体的には、情報フラグ２４４には５つの働きがあり、情報フラグ２４４が「Ａ」のときにはフォーマット１を示し、「Ｂ」のときにはフォーマット２を示し、「Ｃ」のときにはフォーマット２であって更にページャが受信しているタイトル、サブタイトル１、２の変更を示し、「Ｄ」のときにはフォーマット２であって更にページャが受信しているタイトル、サブタイトル１、２及びこれに対応して記憶している情報メッセージ本文の削除を示し、「Ｅ」ときにはフォーマット３を示す。
【００２４】
【表１】
0003611459.tif 000002
【００２５】
図５は、本例のページャの一実施例を示すブロック図である。本例におけるページャ６Ａ〜６Ｎにおいて、６０は無線信号を受信するアンテナ、６１は基地局５Ａ〜５Ｎから送信された上記如きのフレームフォーマットの無線信号をアンテナ６０を介して受信する受信部、６２は受信した信号を復号するデコーダ部、６３は予め割り当てられた自己の呼出番号及び情報メッセージを受信するために割り当てられた群呼出番号を記憶するＩＤ−ＲＯＭ、６４は各機能部を制御するための各種プログラムが格納されているＲＯＭ、６５は受信したメッセージを格納するためのＲＡＭ、６６は制御部７２からの入力信号に基づいて表示部６７を駆動する表示駆動回路、６７はメッセージ等を表示する表示部、６８はメッセージ受信や呼出があったことを光により報知するためのＬＥＤ、６９はメッセージ受信や呼出があったことを音により報知するためのスピーカ等の鳴音部、７０はメッセージ受信や呼出があったことを振動により報知するためのバイブレータ等の振動部、７１はメッセージの読出しや呼出動作の停止等を利用者が行うための操作部である。
【００２６】
また、このページャにはプロセッサから成る制御部７２が備えられており、この制御部７２は上記の各機能部６１〜７１を統括制御する。
また、この制御部７２は、プログラムを実行することにより、ＩＤ比較手段７３、フォーマット判定手段７４、フォルダ検索手段７５、タイトル情報抽出手段７６、メッセージ抽出手段７７、フォルダ作成手段７８、フォルダアクセス手段７９と言った各機能部を構成している。
【００２７】
ＩＤ比較手段７３は受信した信号に含まれる呼出番号とＩＤ−ＲＯＭ６３に記憶されている個別呼出番号あるいは群呼出番号との比較を行い、フォーマット判定手段７４は受信した信号の情報フラグ２４４からそのフォーマットを判定し、フォルダ検索手段７５は受信した信号のタイトル情報２４５に基づいて対応する指定フォルダをＲＡＭ６５から検索する。
タイトル情報抽出手段７６は受信した信号が割り当てられた呼出番号に一致した場合にタイトル情報２４５を抽出し、メッセージ抽出手段７７は受信した信号が割り当てられた呼出番号と一致した場合にメッセージ２４６を抽出し、フォルダ作成手段７８は、抽出されたタイトル情報に対応して受信メッセージを格納するためのフォルダをＲＡＭ６５内に作成し、フォルダアクセス手段７９は検索或いは作成されたフォルダに対してメッセージの読み出し及び書き込み処理を行う。
【００２８】
更に、上記ＲＡＭ６５は、階層化した指定フォルダが記憶される指定フォルダエリア８０と、それ以外の形式の特定フォルダが記憶される特定フォルダエリア８１とが設けられている。
すなわち、フォルダ検索手段７５が指定フォルダエリア８０を検索して、受信したタイトル情報に一致する指定フォルダが存在する場合には、フォルダアクセス手段７９は当該指定フォルダに抽出された受信メッセージを格納する。また、受信したタイトル情報に一致する指定フォルダが検索されない場合には、上記のフォーマット１又は２の受信であれば、フォルダ作成手段７８が当該タイトル情報に対応する指定フォルダを指定フォルダエリア８０に作成して、フォルダアクセス手段７９が当該指定フォルダに抽出された受信メッセージを格納する。
【００２９】
また、受信したタイトル情報に一致する指定フォルダが検索されない場合において上記のフォーマット３の受信であれば、フォルダアクセス手段７９は特定フォルダ８１に抽出された受信メッセージを格納する。なお、このように特定フォルダ８１に受信メッセージを格納するに際して、受信メッセージにインデックス的にそのタイトル情報を付加しておく、或いは、タイトル情報毎に特定フォルダを作成してそこに受信メッセージを格納する等して、受信メッセージと分類に必要な情報との対応付けを行っており、これによって、対応する指定フォルダが後に作成された時に、受信メッセージを特定フォルダから対応する指定フォルダへ移動させることができるようにしている。
【００３０】
ここで、本発明では、タイトル情報によって分類化されていない個人宛メッセージを受信した場合にも、フォルダアクセス手段７９は当該個人宛メッセージを特定フォルダ８１に格納してもよいが、本例では、指定フォルダエリア８０及び特定フォルダエリア８１は情報メッセージの格納専用に設定し、個人宛メッセージを格納するためのエリアはＲＡＭ６５内に分割して設けている。このため、個人宛メッセージを格納するための容量と、情報メッセージを格納するための容量とが、互いの消費容量に影響されることなく確保され、例えば、極めて多くの情報メッセージを格納したとしても、これに影響されることなく個人宛メッセージを保存することができる。
なお、本例では、同一のメモリフィールドに複数のエリアを分割して形成しているが、これらエリアを互いに異なるメモリ装置によって構成してもよい。
【００３１】
次に、図６を参照して、情報メッセージを階層的に分類して保存する時のメモリ格納概念を説明する。ここでは、群呼出番号に続く情報メッセージの内容がニュース情報と天気情報との２つを例にして説明する。
上述した群呼出信号で呼出されたページャは、受信した情報メッセージを保存するにあたり、情報タイトルフィールド２４５に挿入されているタイトル、サブタイトル１、２に従って分類を行い、これらに対応する指定フォルダに記憶格納する。
【００３２】
まず、ニュースに関する情報の場合について説明すると、上述した情報メッセージに付随しているタイトルの“ニュース”及びタイトル番号“ＮＯ．１”に対応する指定フォルダが作成されており、このタイトルを詳細に分類するためのサブタイトル１の“日本”とこの番号“ＮＯ．１”、“世界”とこの番号“ＮＯ．２”、“芸能”とこの番号“ＮＯ．３”、“スポーツ”とこの番号“ＮＯ．４”にそれぞれに対応する指定フォルダが作成されている。サブタイトル１の“日本”“世界”については更に詳細分類するサブタイトル２の“政治”とこの番号“ＮＯ．１”、“経済”とこの番号  “ＮＯ．２”に対応するフォルダが作成されている。また、サブタイトル１の“スポーツ”についても同様にサブタイトル２の“野球”とこの番号“ＮＯ．１”、“サッカー”とこの番号“ＮＯ．２”、“ゴルフ”とこの番号“ＮＯ．３”に対応するフォルダが作成されている。
なお、天気に関する情報の場合についても同様である。
【００３３】
このようにして本例では、タイトルを基にして、タイトルの下に複数のサブタイトル１、更にサブアドレス１の下に複数のサブタイトル２に分類して、これらのタイトル、サブタイトル１、２に対応する情報メッセージを格納する指定フォルダを作成することにより、情報メッセージ本文を自動的に階層的に分類して保存することができる。
【００３４】
図７及び図８には、情報メッセージを格納するためのメモリエリアの構成を示してある。メモリエリアは、図７に示すようなタイトル情報格納エリアと、図８に示すような情報メッセージ格納エリアとで構成される。
図７に示すように、タイトル情報格納エリアは、メモリ番号と、タイトル情報が何階層に位置するかを示す階層情報を格納するエリアと、タイトル及びサブタイトル１、２のコード番号を格納するためのエリア（Ｎ１、Ｎ２、Ｎ３のコード番号３桁を合わせて情報コードとする）と、当該コードのタイトルを格納するためのエリアとで構成される。
【００３５】
このタイトル情報格納エリアに、例えば、タイトルが”ニュース”でありタイトル番号Ｎ１が”ＮＯ．１”のタイトル情報が保存される場合には、空きエリア（ここでは、メモリ番号１とする）に第１階層を示す”１”、情報コード（Ｎ１、Ｎ２、Ｎ３）は、Ｎ１にコード番号”１”、Ｎ２、Ｎ３、には、コード番号に使用されていない例えば”０”が加えられ、Ｎ１に”１”、Ｎ２に”０”、Ｎ３に”０”及びタイトル情報に”ニュース”が格納される。
また、サブタイトル１が”芸能”でサブタイトル番号が”３”の情報が保存される場合には、メモリ番号８の欄で、階層エリアに第２の階層を示す”２”、情報コードは、Ｎ１にはこのサブタイトル”芸能”が属するタイトル”ニュース”のコード番号”１”、Ｎ２には”芸能”のコード番号”３”、Ｎ３には”０”及びタイトル情報には”芸能”が格納される。
【００３６】
また、サブタイトル２が”埼玉”でサブタイトル番号が”４”の情報が保存される場合には、メモリ番号２７の欄で、第３の階層を示す”３”、情報コードとして”埼玉”が属するタイトル（天気）のコード番号”２”（Ｎ１）と、サブタイトル１（関東）のコード番号”３”（Ｎ２）及び”埼玉”のコード番号”４”が格納され、タイトル情報に”埼玉”が格納される。
このような構成とすることで、タイトルとサブタイトル１、２とを属性をもたせて階層化してインデックス管理することができ、後の読出処理等において容易に目的の情報を捜し出すことができる。
【００３７】
また、図８に示すように、情報メッセージ格納エリアは、上記のＮ１、Ｎ２、Ｎ３のコード番号３桁を合わせた情報コードを格納するためのエリアと、各情報コード毎のフォルダを区別する番号を格納するためのエリアと、受信した情報メッセージの内容部分を格納する情報メッセージエリアで構成される。
この情報メッセージ格納エリアに格納される情報メッセージは、上記情報コードに対応する情報メッセージが格納され、例えば、メモリ番号３の情報メッセージ格納エリアには、第３階層で管理される情報コード「１１１」に一致するニュース情報で”日本”に関連するもののうちの”政治”経済に関連する情報メッセージが保存される。
このような構成とすることによりタイトル、サブタイトル１、２で階層化して分類された情報メッセージを保存することができ、後の読出処理等において容易に目的の情報を捜し出すことができる。
【００３８】
なお、本例のようにタイトル情報と情報メッセージの内容部分とをそれぞれのエリアに分けて階層構造で管理するようにすれば、タイトル情報格納エリアをインデックス的に用いて目的の情報を容易に捜し出し、対応する情報を情報メッセージ格納エリアから容易に特定して読み出すことができる。
但し、タイトル情報に基づいて情報メッセージを分類して管理できる態様であれば、上記のようにタイトル情報と情報メッセージの内容部分とをそれぞれのエリアに分けて階層構造で管理することまでは本発明において必須ではなく、他の種々な態様とすることができる。
【００３９】
図９には、上記したページャにおける受信処理動作の一例を示してある。
まず、受信部６１がフレームを受信すると、受信したフレームのアドレスフィールド２２の呼出番号とＩＤ−ＲＯＭ６３に記憶されている呼出番号との比較をＩＤ比較手段７３で行い（ステップＳ１）、比較の結果、呼出番号が一致しない場合には受信待ちの状態を維持する。
一方、呼出番号が一致した場合には、識別子２４１や信号種別２４２を参照して制御部７２が受信フレームの種別を判定する（ステップＳ２）。
【００４０】
この結果、個人宛メッセージである場合には、受信したメッセージをメッセージ抽出手段７７により抽出して、ＲＡＭ６５の個別メッセージ格納用エリアに記憶するとともに（ステップＳ３）、表示駆動回路６６を制御して表示部６７に当該メッセージの表示を行い、更に、ＬＥＤ６８、鳴音部６９あるいは振動部７０により呼出があったことの報知動作を行う。
一方、上記したフォーマット１〜３に示したような情報メッセージフレームである場合には、情報フラグ２４４を参照してフォーマット判定手段７４が受信フレームのフォーマット種別を判定し、タイトル情報に対応する指定フォルダを作成する指示があるか否かを判定する（ステップＳ４）。すなわち、フォーマット１や２の場合には指定フォルダの作成が指示されており、フォーマット３の場合には指定フォルダの作成が指示されていない。
【００４１】
指定フォルダの作成が指示されていない場合（フォーマット３）には、受信フレームからタイトル情報抽出手段７６がタイトル情報２４５を抽出し、このタイトル情報２４５に基づいてフォルダ検索手段７５が指定フォルダエリア８０を検索し、当該タイトル情報に対応する指定フォルダが指定フォルダエリア８０に既に存在しているか否かを判定する（ステップＳ５）。
この結果、対応する指定フォルダが存在する場合には、受信した情報メッセージをメッセージ抽出手段７７により抽出して、当該指定フォルダに記憶する（ステップＳ６）。一方、対応する指定フォルダが存在しない場合には、フォルダ検索手段７５が特定フォルダエリア８１が作成されているかを検索し（ステップＳ７）、無い場合には、フォルダ作成手段７８が特定フォルダ８１をＲＡＭ６５内の作成する（ステップＳ８）。そして、検索或いは作成された特定フォルダ８１に抽出された情報メッセージを格納する（ステップＳ９）。
【００４２】
ここで、本例では、特定フォルダ８１を指定フォルダの作成指示が無く且つ対応する指定フォルダが存在しない場合には、該当する情報メッセージを受信する毎にそのタイトル情報毎の特定フォルダを作成して用意しているが、上記したように情報メッセージとそのタイトル情報との対応付けを管理して、種々な情報メッセージをまとめて記憶するための特定フォルダ８１を予めＲＡＭ６５に用意しておくようにしてもよい。
なお、情報メッセージを格納する際には（ステップＳ６、Ｓ９）、表示駆動回路６６を制御して表示部６７に当該メッセージの表示を行い、更に、ＬＥＤ６８、鳴音部６９あるいは振動部７０により受信があったことの報知動作を行う。
【００４３】
指定フォルダの作成が指示されている場合（フォーマット１又は２）には、受信フレーム中のタイトル情報２４５に基づいて、フォルダ作成手段７８が指定フォルダエリア８０に当該タイトル情報の指定フォルダを作成する（ステップＳ１０）。そして、フォルダアクセス手段７９が特定フォルダ８１にアクセスして（ステップＳ１１）、作成した指定フォルダのタイトル情報に一致するタイトル情報の情報メッセージが特定フォルダ８１に記憶されているかを走査する（ステップＳ１２）。
【００４４】
この結果、作成した指定フォルダのタイトル情報に一致する情報メッセージが特定フォルダ８１に記憶されていない場合には、受信した情報メッセージをメッセージ抽出手段７７により抽出して、作成した指定フォルダにフォルダアクセス手段７９が記憶させる（ステップＳ６）。一方、このように抽出した情報メッセージを作成した指定フォルダに記憶するとともに、特定フォルダ８１に記憶されていた一致するタイトル情報の情報メッセージを、フォルダアクセス手段７９が移動させて作成した指定フォルダに記憶する（ステップＳ１３）。
したがって、対応する指定フォルダが未だ無い状態では、受信メッセージを特定フォルダ８１に一旦格納しておき、後に対応する指定フォルダが作成された時に、当該受信メッセージを指定フォルダによって体系的に管理することができる。なお、この移動処理は、情報メッセージ自体のメモリ記憶位置を変更することによっても行えるが、タイトル情報を各フォルダのインデックスとして管理している場合には、このインデックスを書き換えるだけで容易に行うことができる。
【００４５】
なお、上記の説明では本発明をページャに適用した例を示したが、本発明はページャに限らず、情報を受信する機能を持つ、例えば、ラジオ受信機、携帯電話機等といった種々な形態で実施することもできる。
また、上記の説明では指定フォルダを階層化した例を示したが、本発明は階層化を特に必須の要件とはしておらず、タイトル等で分類されるメッセージをその種別毎に記憶管理するための指定フォルダの他に、指定フォルダに未だ格納することができないメッセージを記憶しておくための特定フォルダを用いて、受信メッセージの指定フォルダによる体系的な記憶管理と、それ以外の種々な受信メッセージの記憶保持とを両立できるようにすればよい。
【００４６】
また、上記の説明ではフォルダ指定情報をタイトル情報２４５とした例を示したが、本発明は、例えば単にフォルダ番号をすると言ったように種々な態様を採用することができ、要は、対応する指定フォルダを特定することができる情報がメッセージと共に受信されるようにすればよい。
また、上記の説明ではフォルダ作成情報を情報フラグ２４４とした例を示したが、本発明は、例えば或るフォーマットでは指定フォルダを作成し他のフォーマットでは指定フォルダを作成しないと言ったように、作成するか否かの情報をフォラグ等の特定な情報として示すのではなく、フォーマット形式の相違等と言ったような間接的な情報そして示すようにしてもよい。
【００４７】
【発明の効果】
以上説明したように、本発明によると、フォルダ指定情報を基に受信メッセージを自動的に指定フォルダに分類して記憶管理することができるとともに、未だ管理体制の整っていないその他の種々な受信メッセージも特定フォルダに記憶しておくことができるため、数多くの受信メッセージをその種類や目的に応じて管理することができ、利用者の使い勝手の向上を図ることができる。
また、本発明によると、特定フォルダに記憶しておいた受信メッセージも、後に対応する指定フォルダが作成された場合に、当該指定フォルダによって記憶管理することができ、事後的に管理体制を拡充することができる。
【図面の簡単な説明】
【図１】本発明の一実施形態に係る選択呼出通信システムの構成を示す図である。
【図２】本発明の一実施形態に係る送出フレームの構成を説明する図である。
【図３】本発明の一実施形態に係るメッセージフィールドの構成を説明する図である。
【図４】本発明の一実施形態に係るメッセージフィールドに挿入される情報メッセージの構成を説明する図である。
【図５】本発明の一実施形態に係るページャの構成を示す図である。
【図６】本発明の一実施形態に係る情報メッセージの階層化概念を説明する図である。
【図７】本発明の一実施形態に係るタイトル情報格納エリアの構成を説明する図である。
【図８】本発明の一実施形態に係る情報メッセージ格納エリアの構成を説明する図である。
【図９】本発明一実施形態に係るページャの受信処理の一例を示すフローチャートである。
【符号の説明】
６Ａ〜６Ｎ・・・ページャ、  ２４・・・メッセージフィールド、
６１・・・受信部、  ６３・・・ＩＤ−ＲＯＭ、  ６５・・・ＲＡＭ、
６７・・・表示部、７２・・・制御部、  ７３・・・ＩＤ比較手段、
７４・・・フォーマット判定手段、  ７５・・・フォルダ検索手段、
７６・・・タイトル情報抽出手段、  ７７・・・メッセージ抽出手段、
７８・・・フォルダ作成手段、  ７９・・・フォルダアクセス手段、
８０・・・指定フォルダエリア、  ８１・・・特定フォルダエリア、
２４４・・・情報フラグ、  ２４５・・・情報タイトル、
２４６・・・情報メッセージ本文、
Ｎ１、Ｎ２、Ｎ３・・・タイトルコード番号、
【図１】
0003611459.tif 000003
【図２】
0003611459.tif 000004
【図３】
0003611459.tif 000005
【図７】
0003611459.tif 000006
【図４】
0003611459.tif 000007
【図５】
0003611459.tif 000008
【図６】
0003611459.tif 000009
【図８】
0003611459.tif 000010
【図９】
0003611459.tif 000011